(57)【要約】【課題】本発明は、軽量であり且つ製造コストが安いランプを提供することを目的とする。【解決手段】本発明のランプは、ランプ本体及び前記ランプ本体内に収容される電子素子を備え、前記ランプ本体内には、絶縁スリーブが前記電子素子を囲繞するように設けられる。【選択図】図４
2013110013.tif 000002
【特許請求の範囲】
【請求項１】
ランプ本体及び前記ランプ本体内に収容される電子素子を備えてなるランプであって、
前記ランプ本体内には、絶縁スリーブが前記電子素子を囲繞するように設けられることを特徴とするランプ。
【請求項２】
前記ランプは、口金をさらに備え、前記ランプ本体と前記口金との間には絶縁部材が設けられ、前記絶縁スリーブは、前記絶縁部材の一端側に配設され、前記絶縁スリーブ及び前記絶縁部材は、共同で前記電子素子を囲繞するように設けられることを特徴とする請求項１に記載のランプ。
【請求項３】
前記電子素子は、電気回路基板に実装され、前記電気回路基板の一端は、前記絶縁スリーブ内に挿入され、前記電気回路基板の他端は、前記絶縁部材内に挿入され、前記絶縁スリーブ及び前記絶縁部材が共同で前記電気回路基板を囲繞することを特徴とする請求項２に記載のランプ。
【請求項４】
前記絶縁部材は、固定部と、前記固定部の一端側に配設された取付部と、を備え、前記取付部は、前記固定部の一端部から前記固定部の半径方向の外側に向かって突出する環状の段状部と、前記段状部の外周縁から前記固定部側の反対側に向って突出する環状の外周部と、前記外周部の内側に配設されていると共に前記段状部から前記反対側に向って突出する環状の結合部と、を備え、前記外周部と前記結合部との間には、前記ランプ本体の端部を収容する環状の収容部が形成されることを特徴とする請求項２又は３に記載のランプ。
【請求項５】
前記絶縁スリーブの一端は、前記絶縁部材の段状部に当接し、前記絶縁スリーブの他端は、前記ランプ本体の一端側の頂部の内表面に当接することを特徴とする請求項２から４の何れか一項に記載のランプ。
【請求項６】
前記固定部は、前記口金に螺合し、前記固定部の内表面には、前記電気回路基板を支持する一対の支持収容部が対向して設けられることを特徴とする請求項４に記載のランプ。
【請求項７】
前記ランプ本体は、ランプカップ及び前記ランプカップの一端部に装着される発光モジュールを備え、
前記ランプカップは、前記発光モジュールを支持する支持部と、前記支持部から前記ランプカップの他端側に向かって突出する中空の筒状の放熱部と、を備え、
前記放熱部の先端側の端部の内表面には、前記放熱部の周方向に延在する環状溝が設けられ、前記結合部の外表面には、前記結合部の周方向に延在する環状係合部が設けられ、
前記放熱部の先端側の端部が前記収容部に挿入され、前記環状係合部が前記環状溝に係合することを特徴とする請求項４に記載のランプ。
【請求項８】
前記放熱部の外表面には、前記放熱部の長さ方向に延在する複数の放熱フィンが前記放熱部の周方向に互いに離間して並設され、前記放熱フィンの前記先端側の端部が、前記外周部に当接することを特徴とする請求項７に記載のランプ。
【発明の詳細な説明】
【技術分野】
【０００１】
本発明は、ランプに関するものである。
【背景技術】
【０００２】
従来のランプは、発光ユニットと、前記発光ユニットに駆動電圧を供給するために複数の電子素子を含む駆動回路モジュールと、を備える。従来、前記駆動回路モジュールの作動中に漏電又は短絡が発生し、それによって、ランプを使用する上で不具合が生じる場合がある。このような問題を解決するために、通常は、大量の絶縁接着剤で電子素子をパッケージすることによって、漏電又は短絡現象を防止することができる。
【発明の概要】
【発明が解決しようとする課題】
【０００３】
しかしながら、大量の絶縁接着剤を使用することで、ランプ全体の重量が増加するばかりでなく、ランプの製造コストが嵩むという問題が生じる。
【０００４】
本発明の目的は、前記課題を解決し、軽量であり且つ製造コストが安いランプを提供することである。
【課題を解決するための手段】
【０００５】
本発明に係るランプは、ランプ本体及び前記ランプ本体内に収容される電子素子を備え、前記ランプ本体内には、絶縁スリーブが前記電子素子を囲繞するように設けられる。
【発明の効果】
【０００６】
本発明のランプは、絶縁スリーブを従来のランプにおける絶縁接着剤と置き換えて使用することにより、電子素子の漏電又は短絡を防止することができるだけでなく、ランプ全体の重量を減少させ、且つランプの製造コストも低減させることができる。
【図面の簡単な説明】
【０００７】
【図１】本発明の実施形態に係るランプの組立斜視図である。
【図２】図１に示すランプの分解斜視図である。
【図３】図２に示すランプの絶縁部材の拡大斜視図である。
【図４】図１に示すランプのＩＶ−ＩＶ間の断面図である。
【図５】図２に示すランプの別の視点からの分解斜視図である。
【発明を実施するための形態】
【０００８】
図１、図２及び図５を参照すると、本発明の実施形態に係るランプは、ランプ本体２００と、ランプ本体２００の一端側に装着されたランプカバー３００と、ランプ本体２００の他端側に連設され、外部電源（図示せず）に電気的に接続される電気接続部１００と、を備える。なお、以下の説明では、ランプ本体２００の一端側を「上」側又は「頂部」側とし、他端側を「下」側又は「底部」側とする。前記ランプ本体２００の内部には絶縁スリーブ２０が設けられ、前記絶縁スリーブ２０の内部には駆動回路モジュール１０が設けられる。即ち、前記絶縁スリーブ２０は、前記ランプ本体２００の内部で前記駆動回路モジュール１０を囲繞するように設けられる。
【０００９】
前記電気接続部１００は、外部電源（図示せず）に電気的に接続されてランプの作動に必要とする電気エネルギーを供給するために用いられる筒状の口金１１０と、前記ランプ本体２００の底部に連結される絶縁部材１２０と、を備える。前記口金１１０は、前記絶縁部材１２０の底部を囲むようにして絶縁部材１２０に取り付けられている。前記口金１１０の底部の下面の中央には、外部電源に電気的に接続される導電接続端子１１１が設けられる。前記口金１１０の外表面には、外部電源のソケットに螺合させるための外部ねじ山が設けられており、前記口金１１０の内表面には、前記絶縁部材１２０に螺合させるための内部ねじ山が設けられている。前記口金１１０は、外部電源に電気的に接続されて、前記駆動回路モジュール１０を駆動するために用いられる。前記口金１１０は標準規格の素子であり、前記ランプは従来の白熱電球用のソケットに直接取り付けることができ、従来の白熱電球を前記ランプに取り替えることができる。
【００１０】
図３を併せて参照すると、前記絶縁部材１２０は、プラスチック材質から一体成形され、前記口金１１０と前記ランプ本体２００を絶縁するために用いられる。前記絶縁部材１２０は、ほぼカップ状の形状であり、その底部に位置する筒状の固定部１２１と、前記固定部１２１の上端に接続されて固定部１２１の上方に配設された取付部１２３と、を備える。前記固定部１２１の外径は、前記取付部１２３の外径より小さい。前記固定部１２１の外周には、前記口金１１０の内部ねじ山に螺合するための外部ねじ山が設けられる。前記口金１１０と前記固定部１２１が螺合して、前記電気接続部１００を構成する。前記固定部１２１の内表面には、一対の支持収容部１２７が対向して設けられる。各々の前記支持収容部１２７は、固定部１２１の内表面にそれぞれ突設された第一側壁１２７０、第二側壁１２７２及び底壁１２７４を備える。前記底壁１２７４は、水平面（固定部１２１の軸線に垂直な面）に沿って配設された支持板であり、前記第一側壁１２７０及び前記第二側壁１２７２は、それぞれ垂直面（固定部１２１の軸線に平行する面）に沿って配設されており、間隔をあけて対向配置されている。前記底壁１０７４は、前記第一側壁１２７０及び前記第二側壁１２７２の下端間に架設されている。前記第一側壁１２７０、前記第二側壁１２７２及び前記底壁１２７４によって、上側及び固定部１２１の半径方向内側に向かってそれぞれ開口した収容スロット１２７６を形成する。前記固定部１２１の下端部には、切欠口１２９が設けられる。
【００１１】
前記駆動回路モジュール１０は、前記電気接続部１００の口金１１０に電気的に接続されており、電気回路基板１２及び前記電気回路基板１２に実装された複数の電子素子１４を備える。前記電気回路基板１２の両側の側縁辺は線対称の段階形状を呈しており、前記電気回路基板１２は頂部から底部に向かって段状に縮幅されている。前記電気回路基板１２の底部から数えて第二番目の左右両側の段階部は当接部１６であり、この当接部１６は前記固定部１２１の一対の収容スロット１２７６にそれぞれに収容されて前記底壁１２７４に当接する。前記電気回路基板１２の両側の当接部１６が前記固定部１２１の一対の収容スロット１２７６にそれぞれに収容されると、前記電気回路基板１２の底部から数えて第一番目の段階部は前記絶縁部材１２０の内部に挿入され、前記駆動回路モジュール１０の頂部は前記ランプ本体２０の頂部の内表面に当接して、前記駆動回路モジュール１０の垂直方向に沿う移動を制限すると共に、前記駆動回路モジュール１０の回転も制限する。前記駆動回路モジュール１０の導線は、前記固定部１２１の切欠口１２９を通して前記口金１１０に接合されて、前記駆動回路モジュール１０は、前記電気接続部１００の口金１１０に電気的に接続される。
【００１２】
前記絶縁部材１２０の取付部１２３は、前記固定部１２１の上端から半径方向の外側に向かって突出した環状の段状部１２８と、前記段状部１２４の外周縁から上方に向って突出すると共に上方に向かって漸次拡径された環状の外周部１２２と、前記段状部１２８の上面から上方に向って突出すると共に外周部１２２の内側に配設された環状の結合部１２４と、を備える。前記外周部１２２及び前記結合部１２４は、固定部１２１の軸線延長線を中心軸線にして同軸上に配設されていると共に互いに離間しており、前記外周部１２２と前記結合部１２４との間には、前記ランプ本体２００の底部を収容するための環溝状の収容部１２６が形成されている。前記結合部１２４の外表面には、結合部１２４の周方向に延在する環状係合部１２５が設けられており、前記環状係合部１２５の横断面形状は半球状を呈する。
【００１３】
前記ランプ本体２００は、ランプカップ２１０及び前記ランプカップ２１０の頂部に装着される発光モジュール２２０を備える。前記発光モジュール２２０は、ねじによって前記ランプカップ２１０の頂部に装着され且つ前記駆動回路モジュール１０に電気的に接続される。前記発光モジュール２２０としては、発光ダイオード（ＬＥＤ）モジュールを使用することができる。前記ランプカップ２１０は、アルミニウム、銅などの熱伝導性能に優れた材料で一体成形される。前記ランプカップ２１０は、発光モジュール２２０を支持する円形の支持部２０１と、前記支持部２０１の周縁から上方に向かって立上げられた環状の外周部２０２と、前記支持部２０１から下方に向かって垂下した中空筒状の放熱部２０３と、を備える。前記放熱部２０３の外表面には、前記ランプカップ２１０が吸収した熱を放熱するための複数の放熱フィン２０５が突設されている。この放熱フィン２０５は上下方向に延在すると共に略Ｓ字状に迂曲しており複数の放熱フィン２０５は放熱部２０３の周方向に互いに離間して並設されている。
【００１４】
図４を参照すると、前記放熱部２０３の下端部の内表面には、放熱部２０３の周方向に延在する環状溝２０６が設けられる。前記放熱部２０３の下端部を前記絶縁部材１２０の収容部１２６に挿入すると、前記絶縁部材１２０の環状係合部１２５は、前記放熱部２０３の環状溝２０６に係合して、前記ランプ本体２００と前記絶縁部材１２０とが接続され、前記放熱フィン２０５の下端は、前記絶縁部材１２０の外周部１２２に当接する。
【００１５】
前記絶縁スリーブ２０は、プラスチックで一体成形された円筒形状の中空構造体であり、前記放熱部２３０の内部に収容され、且つ前記駆動回路モジュール１０を囲繞するように設けられており、この絶縁スリーブ２０によって、漏電又は短絡現象を防止することができる。本実施形態において、前記絶縁スリーブ２０の下端は、前記絶縁部材１２０の段状部１２８に当接し、前記絶縁スリーブ２０の上端は、前記ランプカップ２１０の支持部２０１の下面に当接する。前記絶縁スリーブ２０は、前記絶縁部材１２０の結合部１２４の内側に位置する。前記絶縁スリーブ２０の外径は前記結合部１２４の内径より小さく、前記絶縁スリーブ２０は、前記結合部１２４に対して全周に亘って離間している。他の実施形態において、前記絶縁スリーブ２０の外径は前記結合部１２４の内径と等しく、前記絶縁スリーブ２０の外表面は前記結合部１２４の内表面に当接している。前記絶縁スリーブ２０の材質及び形状は、絶縁効果を有すると共に、前記駆動回路モジュール１０を覆うことができれば、需要によって調整することができる。
【００１６】
前記ランプカバー３００は、底面が開口された中空の半球状であり、前記ランプカップ２１０の頂端に固定され、且つ前記発光モジュール２２０を覆う。前記ランプカバー３００は、ガラス、プラスチックなどのような透明材料又は半透明材料からなる。
【００１７】
本発明のランプにおいて、絶縁材料からなる前記絶縁スリーブ２０は前記駆動回路モジュール１０を囲繞するように設けられているので、前記駆動回路モジュール１０の漏電又は短絡を防止することができる。しかも、絶縁接着剤で前記駆動回路モジュール１０をパッケージする必要もないので、前記ランプの軽量化を実現することができると共に、前記ランプの製造コストも低減させることができる。
【００１８】
以上、本発明を実施例に基づいて具体的に説明したが、本発明は、上述の実施例に限定されるものではなく、その要旨を逸脱しない範囲において、種種の変更が可能であることは勿論であって、本発明の技術的範囲は、以下の特許請求の範囲によって規定される。
【符号の説明】
【００１９】
１０  駆動回路モジュール
１２  電気回路基板
１４  電子素子
１６  当接部
２０  絶縁スリーブ
１００  電気接続部
１１０  口金
１１１  導電接続端子
１２０  絶縁部材
１２１  固定部
１２２  外周部
１２３  取付部
１２４  結合部
１２５  環状係合部
１２６  収容部
１２７  支持収容部
１２８  段状部
１２９  切欠口
２００  ランプ本体
２０１  支持部
２０２  外周部
２０３  放熱部
２０５  放熱フィン
２０６  環状溝
２１０  ランプカップ
２２０  発光モジュール
１２７０  第一側壁
１２７２  第二側壁
１２７４  底壁
１２７６  収容スロット
【図１】
2013110013.tif 000003
【図２】
2013110013.tif 000004
【図３】
2013110013.tif 000005
【図４】
2013110013.tif 000006
【図５】
2013110013.tif 000007